(57)【要約】【課題】研修希望者が、希望する条件に合致する研修コースを簡易に選択できる研修コース抽出システムを提供することを目的とする。【解決手段】研修コース抽出サーバ３０は、研修の難易度、研修時間、研修料金、及び研修場所を含む研修情報を、データベース３１に格納する。抽出手段３２は、ユーザ端末１０から送信される所望の研修コースの情報に基づいて、データベース３１を検索し、研修希望者に提示すべき研修コースを抽出する。【選択図】　　図１
2004127174.tif 000002
【特許請求の範囲】
【請求項１】
研修を提供する研修業者の業者端末と、研修を希望する研修希望者のユーザ端末と、研修希望者からの要求に基づいて研修コースを抽出する研修コース抽出サーバとをネットワークによって接続する研修コース抽出システムであって、
前記研修コース抽出サーバは、
少なくとも１つの研修業者が提供する複数の研修について、研修の難易度、研修時間、研修料金及び研修場所を含む研修情報を格納するデータベースと、
ユーザ端末から送信される研修希望ジャンルに基づいて、前記データベースを検索して研修コースを抽出する抽出手段とを備えることを特徴とする研修コース抽出システム。
【請求項２】
前記研修コース抽出サーバは、送信された研修希望ジャンルの情報に基づいて、研修希望者のスキルを判定するためのスキル評価項目を、前記ユーザ端末に向けて送信する、請求項１に記載の研修コース抽出システム。
【請求項３】
前記ユーザ端末からは、研修希望ジャンルと共に、研修希望者のスキル及び所在地を含む個人情報が送信される、請求項１に記載の研修コース抽出システム。
【請求項４】
前記個人情報は、研修料金又はアクセス時間の何れを優先するかの優先情報を更に含む、請求項３に記載の研修コース抽出システム。
【請求項５】
前記優先情報は、研修料金を優先させた場合には更に研修料金の許容幅を指定し、アクセス時間を優先させた場合には更にアクセス時間の許容幅を指定する、請求項４に記載の研修コース抽出システム。
【請求項６】
前記抽出手段は、前記個人情報が研修料金を優先させた場合には、研修料金が最低の研修コースと、該最低の研修料金から前記許容幅内に含まれる研修料金を規定する研修コースとを抽出し、該抽出した研修コースを、アクセス時間が短い順にソートする、請求項５に記載の研修コース抽出システム。
【請求項７】
前記抽出手段は、前記個人情報がアクセス時間を優先させた場合には、アクセス時間が最短の研修コースと、該最短のアクセス時間から前記許容幅内に含まれるアクセス時間を持つ研修コースとを抽出し、該抽出した研修コースを、研修料金が低い順にソートする、請求項５に記載の研修コース抽出システム。
【発明の詳細な説明】
【０００１】
【発明の属する技術分野】
本発明は、研修コース抽出システムに関し、特に、ネットワークを介してユーザが自身のニーズに合致する研修コースを検索できる研修コース抽出システムに関する。
【０００２】
【従来の技術】
最近では、教育コース（研修コース）を開講する業者は、広告等により自身が開設する教育コースを宣伝すると共に、そのコースの内容や、料金、受講場所、受講日時、受講期間、週当たりの開催数などといった詳細な情報を、インターネット上のホームページ等に掲載することが多くなっている。受講を希望する研修希望者は、このようなホームページ等を閲覧し、自身のニーズに合致する教育コースを探し出し、受講を申し込む。特に、研修者が、実際に受講場所まで出向いて教育を受ける対面式の教育では、コースの内容や料金に加えて、受講場所や、受講日時、受講期間、週当たりの開催数などの条件がより重要となる。
【０００３】
【発明が解決しようとする課題】
ところで、同じような内容の教育コースを複数の業者が行なう場合には、研修希望者は、複数の業者のホームページ等に個別に掲載された情報を逐一比較して、何れの教育コースが自身のニーズに最も合致するかを調べなければならない。このため、研修希望者が教育コースを検索して、受講すべきコースを決定するまでにかかる時間や労力が大きいという問題があった。
【０００４】
特に対面式の教育コースでは、研修希望者が基点とする所在地（例えば自宅や職場）から受講場所までの移動に要する時間（アクセス時間）が、受講すべき研修コースの選択に当たって重要な要素になることが多い。しかし、アクセス時間は研修希望者自身で見積もる必要があり、アクセス時間を見積もるために手間がかかるという問題もあった。また、業者側は、適切な情報が研修希望者に届けば得られたであろう営業機会が、得られないことが多くあった。
【０００５】
従来、教育を受けるためにネットワークを使用するシステムとしては、例えば特開２００１−２６５２０７号公報（特許文献１）や特開２００２−１８９４０４号公報（特許文献２）に記載されたシステムが知られている。これらの文献に記載されたシステムでは、受講を申し込んだ、或いは、学習教材の提供を申し込んだユーザに、ユーザのレベル（スキル）に応じた教材を提供する。しかし、これらのシステムは、例えば料金や受講場所が異なる教育コースの中から、研修希望者のニーズに合致する教育コースを検索して選び出すものではない。つまり、従来、研修希望者のニーズに合致する教育コースを選び出し、教育コースの内容を比較して検討するためのシステムは知られていなかった。
【０００６】
【特許文献１】
特開２００１−２６５２０７号公報
【特許文献１】
特開２００２−１８９４０４号公報
【０００７】
本発明は、上記問題を解消し、受講を希望する研修希望者が、自身のニーズに合致する研修コースを簡易に検索できる研修コース抽出システムを提供することを目的とする。
【０００８】
【課題を解決するための手段】
上記目的を達成するために、本発明の研修コース抽出システムは、研修を提供する研修業者の業者端末と、研修を希望する研修希望者のユーザ端末と、研修希望者からの要求に基づいて研修コースを抽出する研修コース抽出サーバとをネットワークによって接続する研修コース抽出システムであって、前記研修コース抽出サーバは、少なくとも１つの研修業者が提供する複数の研修について、研修の難易度、研修時間、研修料金、及び研修場所を含む研修情報を格納するデータベースと、ユーザ端末から送信される研修希望ジャンルに基づいて、前記データベースを検索して研修コースを抽出する抽出手段とを備えることを特徴とする。
【０００９】
本発明の研修コース抽出システムでは、研修コース抽出サーバは、複数の研修情報が格納されたデータベースから、研修希望者が受講を希望するジャンルの研修コースを抽出し、例えば研修情報の詳細が表示された一覧表の形式で研修希望者に提示する。これにより、研修希望者は、自身のニーズに合致する研修コースを簡易に選択することができ、受講すべき研修コースの選択に要する手間と時間とを削減することができる。
【００１０】
本発明の研修コース抽出システムでは、前記研修コース抽出サーバは、送信された研修希望ジャンルの情報に基づいて、研修希望者のスキルを判定するためのスキル評価項目を、前記ユーザ端末に向けて送信することが好ましい。この場合、研修希望者は、スキル評価項目に従って自身の能力、例えば英語検定の級数やＴＯＥＩＣの点数を入力し、研修コース抽出サーバに送信する。研修コース抽出サーバは、受信した上方に基づいて研修希望者の能力を自動的に評価して研修希望者に送信することができ、研修希望者は、研修希望のジャンルにおける自身のスキル（レベル）を判定してもらうことができる。
【００１１】
また、本発明の研修コース抽出システムでは、前記ユーザ端末からは、研修希望ジャンルと共に、研修希望者のスキル及び所在地を含む個人情報が送信されることが好ましい。この場合、研修ケース抽出サーバは、研修希望者の能力に応じた研修コースを抽出することができる。また、研修希望者が所在地等を基点として指定することで、基点となる地域から通うことが可能な研修コースを抽出することができる。
【００１２】
本発明の研修コース抽出システムでは、前記個人情報は、研修料金又はアクセス時間の何れを優先するかの優先情報を更に含むことが好ましい。この場合、研修コース抽出サーバは、研修希望者の要求に応じて、料金又は研修場所までの所要時間（アクセス時間）の何れかを優先させて、研修コースを抽出することができる。アクセス時間は、例えば、研修希望者が指定した所在地を基点として計算することができる。
【００１３】
本発明の研修コース抽出システムでは、前記優先情報は、研修料金を優先させた場合には更に研修料金の許容幅を指定し、アクセス時間を優先させた場合には更にアクセス時間の許容幅を指定することが好ましい。この場合、研修コース抽出サーバは、抽出される研修コースを制限し、許容幅を超える研修コースを研修希望者に提示しないようにすることができる。
【００１４】
本発明の研修コース抽出システムでは、前記抽出手段は、前記個人情報が研修料金を優先させた場合には、研修料金が最低の研修コースと、該最低の研修料金から前記許容幅内に含まれる研修料金を規定する研修コースとを抽出し、該抽出した研修コースを、アクセス時間が短い順にソートする構成を採用することができる。この場合、研修コース抽出サーバは、研修料金以外の条件が研修希望者のニーズに合致する研修コースのうち、研修料金が最も安い研修コースから、その料金に許容幅として設定された額を加えた額までの研修コースを抽出し、アクセス時間の短い順に並べて研修希望者に提示する。これにより、研修希望者は、研修コースの選択が容易となる。
【００１５】
本発明の研修コース抽出システムでは、前記抽出手段は、前記個人情報がアクセス時間を優先させた場合には、アクセス時間が最短の研修コースと、該最短のアクセス時間から前記許容幅内に含まれるアクセス時間を持つ研修コースとを抽出し、該抽出した研修コースを、研修料金が低い順にソートする構成を採用することができる。この場合、研修コース抽出サーバは、アクセス時間以外の条件が研修希望者のニーズに合致する研修コースのうち、アクセス時間が最も短い研修コースから、そのアクセス時間に許容幅として設定された時間を加えた時間までの研修コースを抽出し、研修料金の安い順に並べて研修希望者に提示する。これにより、研修希望者は、研修コースの選択が容易となる。
【００１６】
【発明の実施の形態】
以下、図面を参照し、本発明の実施形態例に基づいて、本発明を更に詳細に説明する。図１は、本発明の一実施形態例の研修コース抽出システムの構成を示している。研修コース抽出システム１００は、インターネット等のネットワーク４０を介して接続される業者端末２０及び研修コース抽出サーバ３０を備える。研修コース抽出サーバ３０は、研修コースの情報が登録されたデータベース３１と、データベース内を検索し、所望の研修コースを抽出する抽出手段３２とを備える。
【００１７】
ユーザ端末１０及び業者端末２０は、例えばパーソナルコンピューターなどの情報処理端末として構成される。ユーザ端末１０は、業者端末２０や研修コース抽出サーバ３０にネットワーク４０を介して接続し、情報の送受信をする機能を有すると共に、研修コース抽出サーバ３０が抽出した研修コースを画面上に表示する機能を有する。業者端末２０は、研修コースを開設する業者により使用され、登録のための研修コース情報を研修コース抽出サーバ３０に送信する機能を有する。業者が送信する研修コース情報には、例えば、コースを開催する会社名、住所、電話番号、受講場所、コースの受け入れスキルと目標スキル、コースの料金、コース開催の期間、曜日、コースの時間、週あたりの開催回数などの情報が含まれる。
【００１８】
研修コース抽出サーバ３０は、例えばワークステーション・サーバとして構成される。研修コース抽出サーバ３０は、業者端末２０から送信された研修コース情報をデータベース３１内に登録し、抽出手段３２によって、研修希望者が指定する条件に合致する登録済みの研修コースをデータベースから抽出する。また、研修コース抽出サーバ３０は、研修コースのジャンルに応じて、スキルの評価に使用する項目を抽出する機能や、研修希望者のスキルを評価する機能を有する。
【００１９】
図２は、研修コース抽出システムにおける処理例をフローチャートとして示している。図３は、業者が登録する研修コース情報の一例を示している。図４は、研修希望者のスキルを評価するためのスキル評価項目の一例を示している。図５は、研修希望者が指定する研修希望者情報の一例を示している。図６は、研修コース抽出サーバが研修コースを抽出した結果の一例を示している。以下、図２から図６を参照し、研修コース抽出システム１００の処理について説明する。
【００２０】
研修コース抽出システム１００に登録を希望する業者は、研修コース情報を、研修コース抽出サーバ３０に向けて送信し、研修コース抽出サーバ３０は、受信した研修コース情報をデータベース内に保存する（ステップＳ１）。研修コース抽出サーバ３０内のデータベース３１には、例えば英会話について、図３に示すような複数の業者の研修コース情報が記憶される。
【００２１】
研修希望者は、自身のユーザ端末１０を、ネットワーク４０を介して研修コース抽出サーバ３０に接続し、自身が希望する研修コースのジャンル情報を送出する（ステップＳ２）。ジャンル情報とは、例えば、英会話や茶道といったような、希望する研修コースのジャンルを特定する情報である。研修コース抽出サーバ３０は、受信したジャンル情報に該当するジャンルにおける研修希望者のスキルを判断するためのスキル評価項目を、ユーザ端末１０に送信する（ステップＳ３）。ステップＳ３では、例えば、希望する研修コースが英会話に関するものであるときには、図４に示す項目がスキル評価項目として研修希望者に送信される。スキル評価項目は、例えば、教育のジャンルが英会話であれば、英語検定の級数や、ＴＯＥＩＣのスコア、ＴＯＥＦＬのスコア、留学経験の有無、過去に受講した研修コースの履歴などの情報が含まれる。
【００２２】
研修希望者は、受信したスキル評価項目従って自身のスキルを入力し、入力した情報を、研修希望者スキル情報として研修コース抽出サーバ３０へ送信する（ステップＳ４）。研修コース抽出サーバ３０は、受信した研修希望者スキル情報に基づいて、研修希望者のスキルを評価し、スキル評価結果をユーザ端末１０に送信する（ステップＳ５）。スキル評価結果は、図４に示す英会話の例では、英検の級数やＴＯＥＩＣ点数などの客観的な数値から総合的に判断して、例えば、ランクＡ〜Ｅまでのランクで研修希望者に通知される。
【００２３】
研修希望者は、自身が受講を希望する研修コースの条件を希望研修情報として、研修コース抽出サーバ３０に送信する（ステップＳ６）。希望研修情報には、図５に示すように、希望者のスキルを指定する情報や、希望する研修期間に関する情報、研修コースの検索に当たって料金又は所要時間の何れを優先させるかの情報、研修希望者が許容する料金や所要時間の幅（マージン）を指定する情報、研修希望者が受講場所まで移動するのにかかる所要時間の計算の基点となる場所を特定する情報が含まれる。希望者のスキルの指定では、ステップＳ５で受信したスキル評価結果をそのまま使用することができる。また、希望する研修期間は、例えば半年から１年のように、期間に幅を持たせて指定することもできる。
【００２４】
研修コース抽出サーバ３０は、希望研修情報を受信すると、研修コース情報が登録されているデータベース内を検索し、研修希望者が指定した条件に合致する研修コースを抽出して候補一覧を作製し、これを抽出結果としてユーザ端末１０に送信する（ステップＳ７）。研修希望者は、例えば図６に示す抽出結果をユーザ端末１０の画面上に表示し、研修コースの料金や所要時間を比較して、受講を希望する研修コースを決定する。受講すべき研修コースが決定すると、研修希望者は、業者端末２０に研修コースの受講を申し込む（ステップＳ８）。受講の申し込みを受け付けた業者端末２０は、契約のための処理を行い、受付の完了をユーザ端末１０へ送信する（ステップＳ９）。
【００２５】
図７は、図２のステップＳ７の詳細を示している。研修コース抽出サーバ３０が研修コースを抽出するステップＳ７の手順について、更に詳述する。ステップＳ７では、研修コース抽出サーバ３０は、受信した希望研修情報中に含まれる研修希望者のスキルに基づいて、データベースからそのスキルの人を対象とする研修コースを検索する（ステップＳ１１）。検索した研修コースのうち、研修希望者が指定したスキル取得に要する期間に合致する研修コースを、研修希望者に送信する研修コースの候補として絞り込む（ステップＳ１２）。この段階までで、データベースに登録された研修コースのうち、研修希望者のスキルに応じた、研修希望者が希望する研修期間の研修コースが、候補として残る。
【００２６】
研修コース抽出サーバ３０は、希望研修情報に基づいて、研修コースの抽出に当たって研修希望者が研修料金又は所要時間の何れを優先させるかを判断する（ステップＳ１３）。研修希望者が料金を優先させた場合には、抽出手段３２は、ステップＳ１２で残った候補から、研修希望者のマージンの範囲内で許容する研修コースを選び出す（ステップＳ１４）。例えば料金のマージンとして、１０，０００円が指定されていたときには、ステップＳ１２で残った候補のうちの料金が最も安い研修コースと、その料金よりも１０，０００円だけ高い料金までの研修コースとが選び出される。選び出された研修コースは、研修希望者が指定した基点からの所要時間が短い順に並び替えられて（ステップＳ１５）、最終的にユーザ端末１０に送信される。
【００２７】
ステップＳ１３で研修希望者が所要時間を優先させた場合には、抽出手段３２は、ステップＳ１２で残った候補のうち、研修希望者のマージンの範囲内で許容する所要時間が短い研修コースを選び出す（ステップＳ１６）。例えば所要時間のマージンとして、３０分が指定されていたときには、ステップＳ１２で残った候補のうちの研修希望者が指定した起点からの所要時間が最も短い研修コースと、その所要時間よりも３０分だけ長い所要時間までの研修コースとが選び出される。選び出された研修コースは、料金が安い順に並び替えられて（ステップＳ１５）、最終的にユーザ端末１０に送信される。
【００２８】
本実施形態例では、研修コース抽出サーバ３０は複数の研修コースの情報をデータベース内に登録することができるため、研修希望者は、例えば、自身のスキルや、研修期間、料金、受講場所までの所要時間といった条件を入力することで、その条件に合致する研修コース簡易に検索することができる。従来、例えば受講希望の研修コースが異なる業者によって開設される場合などには、研修希望者は、各業者の情報を個別に入手して、研修コースの情報を比較していた。本実施形態例では、各業者から個別に情報を入手しなくとも、研修希望者が望む条件の研修コースに情報を簡易に入手することができ、選択すべき研修コースの決定に要する手間や時間を省くことができる。また、業者側は、研修希望者からの個々の問い合わせに応じる必要がなくなると共に、広告・宣伝に要する費用を削減することができる。
【００２９】
研修コース抽出システム１００では、研修希望者のスキルをスキル評価項目に従って自動的に評価し、ランク付けされたスキルで研修希望者に通知するため、研修希望者は、研修コースの検索に先立って、自身が受講すべき研修コースの対象スキルを知ることができる。また、従来、研修コースが対象とする受講者のスキルは、業者ごとに呼び方が異なっている場合、或いは、同じ呼び方でも対象とするスキルが異なっている場合があったが、本実施形態例では、データベースへの登録時に、各研修コースの対象スキルを同じ基準でランク付けすることで、研修希望者は、自身のスキルに応じた研修コースを適切に選択することができる。
【００３０】
研修コースの抽出では、希望者が料金を優先させた場合には、所定金額範囲内の研修コースを所要時間が短い順に抽出して一覧を作製し、所要時間を優先させた場合には、所定所要時間の範囲内の研修コースを金額が安い順に抽出して一覧を作製する。このため、研修希望者は、例えば、料金を優先させた場合には、マージンとして設定した金額範囲の研修コースの中から、所要時間が短い研修コースを簡易に選択するができ、所要時間を優先させた場合には、マージンとして設定した所要時間の範囲内の研修コースの中から、料金が安い研修コースを簡易に選択することができる。つまり、研修希望者は、手間や時間をかけずに、料金及び所要時間の２つの要素を同時に考慮して、受講すべき研修コースを決定することができる。
【００３１】
なお、上記実施形態例では、希望者が料金を優先させた場合には、所定金額範囲内の研修コースを所要時間が短い順に抽出し、所要時間を優先させた場合には、所定所要時間の範囲内の研修コースを金額が安い順に抽出したが、これに代えて、料金を優先させた場合には料金が安い順に研修コースを抽出し、所要時間を優先させた場合には所要時間が短い順に研修コースを抽出することもできる。また、料金や所要時間には、マージンに代えて、または加えて、上限を設定することもでき、研修コース抽出サーバ３０は、上限値を超える料金や所要時間の研修コースを研修希望者に送信しないようにすることもできる。
【００３２】
以上、本発明をその好適な実施形態例に基づいて説明したが、本発明の研修コース抽出システムは、上記実施形態例にのみ限定されるものでなく、上記実施形態例の構成から種々の修正及び変更を施した研修コース抽出システムも、本発明の範囲に含まれる。例えば、図２のステップＳ８の研修コースの申し込みは、業者に代わって研修コース抽出サーバ３０が代行して行なってもよい。
【００３３】
【発明の効果】
以上説明したように、本発明の研修コース抽出システムでは、研修コース抽出サーバは、複数の研修情報が格納されたデータベースから、研修希望者が指定するジャンルの研修コースを抽出して、研修希望者に提示する。このため、研修希望者は、自身のニーズに合致する研修コースを簡易に選択することができ、受講すべき研修コースの選択に要する手間と時間とを削減することができる。
【図面の簡単な説明】
【図１】本発明の一実施形態例の研修コース抽出システムの構成を示すブロック図。
【図２】研修コース抽出システムの動作例を示すフローチャート。
【図３】業者が登録する研修コース情報の一例を示す情報例。
【図４】研修希望者のスキルを評価するためのスキル評価項目の一例を示す項目例。
【図５】研修希望者が指定する研修希望者情報の一例を示す情報例。
【図６】研修コース抽出サーバが研修コースを抽出した結果の一例を示す結果例。
【図７】図２のステップＳ７における研修コース抽出の詳細を示すフローチャート。
【符号の説明】
１０：ユーザ端末
２０：業者端末
３０：研修コース抽出サーバ
３１：データベース
３２：抽出手段
４０：ネットワーク
１００：研修コース抽出システム
【図１】
2004127174.tif 000003
【図２】
2004127174.tif 000004
【図３】
2004127174.tif 000005
【図４】
2004127174.tif 000006
【図５】
2004127174.tif 000007
【図６】
2004127174.tif 000008
【図７】
2004127174.tif 000009